(57)【要約】【課題】  蛍光タイマー時間によって自動的に撮影を行っている最中に、カメラ自体や記録媒体の交換、デジタルカメラの撮影条件の変更を行っても、自動撮影を最後まで行う事が可能な眼科撮影装置を提供する。【解決手段】  蛍光撮影が可能で、被検眼を撮像する撮像光学系と、前記撮影光学系内に着脱可能であって、交換可能な撮影画像保存部を内蔵し、撮影条件の設定を変更可能な撮像部を有する。【選択図】  図１
2005278747.tif 000002
【特許請求の範囲】
【請求項１】
蛍光撮影が可能で被検眼を撮像する撮像光学系と、前記撮影光学系内に着脱可能であって、交換可能な撮影画像保存部を内蔵し、撮影条件の設定を変更可能な撮像部を有し、蛍光タイマー時間によって自動的に撮像を行う撮影制御手段を有する眼科撮影装置において、
前記撮像部の前記撮影条件の変更に応じて、前記撮影制御手段による撮影制御方法を変更することを特徴とする。
【請求項２】
前記撮像部に内蔵された前記撮影画像保存部に記録可能な画像枚数を算出する記録可能画像枚数算出手段を有することを特徴とする請求項１に記載の眼科撮影装置。
【請求項３】
前記記録可能画像枚数算出手段は、前記撮影条件の変更ごとに、記録可能画像枚数の算出を行うことを特徴とする請求項２に記載の眼科撮影装置。
【請求項４】
前記記録可能画像枚数算出手段は、前記撮影部の装着ごとに、記録可能画像枚数の算出を行うことを特徴とする請求項２に記載の眼科撮影装置。
【請求項５】
前記記録可能画像枚数算出手段は、前記撮影部の前記撮影画像保存部の交換ごとに、記録可能画像枚数の算出を行うことを特徴とする請求項２に記載の眼科撮影装置。
【請求項６】
前記撮影制御手段は、前記記録可能画像枚数算出手段は、前記撮影条件の変更に応じて、記録可能画像枚数の算出を行う蛍光撮影中に撮影する画像が前記撮影画像保存部に記録可能となるように撮影制御方法を変更することを特徴とする請求項３・４・５に記載の眼科撮影装置。
【発明の詳細な説明】
【技術分野】
【０００１】
本発明は、たとえば眼科医院や集団健診等で用いられる、被検眼の眼底を撮影する眼底カメラなどの眼科撮影装置に関するものである。
【背景技術】
【０００２】
例えば、眼科撮影装置として眼底カメラが知られている。
【０００３】
近年ではデジタル化が容易なことから、眼底カメラの撮影用カメラに、一般に使われるデジタルカメラが多く用いられるようになってきている。特に一眼レフタイプのデジタルカメラが用いられるのは、眼底カメラからのリモート撮影が可能であることに加え、今までのフィルムタイプのカメラとの互換性が良く、解像度も眼科用の診断画像として十分なものとなってきたためである。
【０００４】
この一眼レフタイプのデジタルカメラは、診断画像として最も一般的なカラーの眼底撮影に使われるのはもちろんのこと、フロレッセンナトリウムを蛍光造影剤として使用する可視蛍光撮影（ＦＡＧ）にも用いられる。
【０００５】
眼底カメラにおいては、撮影に用いるカメラの交換が容易であることは一般的であるとともに、記録媒体を交換可能な装置として、特開平８−３３６１２などが紹介されている。
【０００６】
また、蛍光タイマー時間によって自動的に撮影を行う眼科撮影装置として、特開２０００−２９６１１４が知られている。
【特許文献１】特開平０８−０３３６１２号公報
【特許文献２】特開２０００−２９６１１４号公報
【発明の開示】
【発明が解決しようとする課題】
【０００７】
上記の従来技術を用いて、撮影に用いるカメラ自体の交換や記録媒体を交換可能な装置において、蛍光タイマー時間によって自動的に撮影を行うことは可能である。
【０００８】
しかしながら、蛍光タイマー時間によって自動的に撮影を行っている最中に、カメラ自体の交換や記録媒体の交換に加え、デジタルカメラ自体の画像サイズや圧縮率等の撮影条件の変更を行うことも考えられる。この場合、蛍光タイマ時間によって自動的に撮影を行うための撮影スケジュールによっては、予定の撮影が不能となってしまうことが考えられる。たとえば、デジタルカメラ自体の画像サイズが小さい設定で自動撮影を開始した時点では、撮影スケジュールに従った撮影が可能となっているが、タイマ動作中に画像サイズを大きくするように変更した場合には、予定していた撮影が最後まで行えないといった問題点がある。
【０００９】
本発明の目的は、蛍光タイマー時間によって自動的に撮影を行っている最中に、カメラ自体の交換や記録媒体の交換に加え、デジタルカメラ自体の画像サイズや圧縮率等の撮影条件の変更を行っても、蛍光タイマー時間による自動撮影を最後まで行う事が可能な眼科撮影装置を提供する事である。
【課題を解決するための手段】
【００１０】
上記の課題を解決するために、本発明の請求項１に記載の眼科撮影装置は、蛍光撮影が可能で、被検眼を撮像する撮像光学系と、前記撮影光学系内に着脱可能であって、交換可能な撮影画像保存部を内蔵し、撮影条件の設定を変更可能な撮像部を有する。
【００１１】
本発明の請求項２に記載の眼科撮影装置は、請求項１の眼科撮影装置に加えて、前記撮像部に内蔵された前記撮影画像保存部に記録可能な画像枚数を算出する記録可能画像枚数算出手段を有する。
【００１２】
本発明の請求項３に記載の眼科撮影装置は、請求項２に記載の眼科撮影装置と構成は同じであるが、前記記録可能画像枚数算出手段は、前記撮影条件の変更ごとに、記録可能画像枚数の算出を行うことを特徴としている。
【００１３】
本発明の請求項４に記載の眼科撮影装置は、請求項２に記載の眼科撮影装置と構成は同じであるが、前記記録可能画像枚数算出手段は、前記撮影部の装着ごとに、記録可能画像枚数の算出を行うことを特徴としている。
【００１４】
本発明の請求項５に記載の眼科撮影装置は、請求項２に記載の眼科撮影装置と構成は同じであるが、前記記録可能画像枚数算出手段は、前記撮影部の前記撮影画像保存部の交換ごとに、記録可能画像枚数の算出を行うことを特徴としている。
【００１５】
本発明の請求項６に記載の眼科撮影装置は、請求項３・４・５に記載の眼科撮影装置と構成は同じであるが、前記撮影制御手段は、前記記録可能画像枚数算出手段からの記録可能画像枚数に応じて、記録可能画像枚数の算出を行う蛍光撮影中に撮影する画像が前記撮影画像保存部に記録可能となるように撮影制御方法を変更することを特徴としている。
【００１６】
請求項１に記載の眼科撮影装置では、着脱可能な撮像部を構成しているので、１つの撮影部が故障しても、別の撮像部による撮影が可能になる。
【００１７】
請求項２に記載の眼科撮影装置では、請求項１に記載の眼科撮影装置に加え、前記撮像部に内蔵された前記撮影画像保存部に記録可能な画像枚数を算出することが可能なので、カラー撮影においても撮影回数を判断することができる。
【００１８】
請求項３・４・５に記載の眼科撮影装置では、請求項２に記載の眼科撮影装置に加え、記録可能画像枚数の算出を自動的に行うので、煩わしい動作を必要としない。
【００１９】
請求項６に記載の眼科撮影装置では、請求項３・４・５に記載の眼科撮影装置に加え、撮影制御手段が、前記記録可能画像枚数算出手段からの記録可能画像枚数に応じて、記録可能画像枚数の算出を行うようになっているので、蛍光撮影中に撮影する撮影枚数を確認することができる。
【発明の効果】
【００２０】
以上説明したように、本発明による眼科撮影装置は、撮影に使用するカメラの記録可能枚数を検知し、蛍光撮影時の撮影スケジュールの変更ができるようになっているので、蛍光タイマー時間による自動撮影を最後まで行う事ができる。
【発明を実施するための最良の形態】
【００２１】
（実施例）
本発明を図１〜図４に図示の実施例に基づいて詳細に説明する。
【００２２】
図１は第１の実施例における眼底カメラの構成図を示し、観察用光源１から対物レンズ２に至る光路上には、コンデンサレンズ３、撮影用光源４、ミラー５、リング状の開口を有する絞り１０、可視蛍光撮影（ＦＡＧ）励起フィルター４１、リレーレンズ６、孔あきミラー７が順次に配列され、披検眼Ｅの瞳Ｅｐから眼底Ｅｒを照明する眼底照明光学系を構成する。孔あきミラー７の透過方向の光路上には、合焦レンズ８、ＦＡＧ濾過フィルター４２、撮影レンズ９、撮影時に跳ね上げ可能な跳ね上げミラー１１が配列されている。眼底Ｅｒから反射された反射光は、観察時には、ミラー１２、レンズ１３を通り、検者眼Ｅ’に導かれ観察され、撮影時には、跳ね上げミラー１１が点線で示されたように跳ね上げられ、撮影用光源４から発せられた照明光を、撮像素子１４に導くための眼底撮影光学系を構成している。撮像素子１４に撮像された画像は、カメラボディー３０内部の画像記録部２５に記録されるようになっている。さらに、カメラボディー３０には、撮像素子１４に撮像された画像を画像記録部２５に保存する際の画像サイズや圧縮率等のカメラ設定を変更するカメラ設定変更部２６が構成されている。
【００２３】
また、液晶またはＬＥＤ等の表示装置１５、手書きのデータカード１６、レンズ１７、ミラー１８、ミラー１０は、撮像素子１４にデータを写しこむための、データ写し込み光学系を構成している。図示は省略しているが、表示装置１５内部には、データカード１６が挿入されたことを検知し、データカードを照明するためのＬＥＤやストロボ光源などが構成されている。
【００２４】
さらに、ＦＡＧ励起フィルター４１は、眼底照明光学系に対してＦＡＧ励起フィルター駆動部２３によって、挿入および離脱の制御を電気的に行うことが可能になっていて、同様に、眼底撮影光学系に対してＦＡＧ濾過フィルター駆動部２４によって、挿入および離脱の制御を電気的に行うことが可能になっている。システム制御部２０は、入力部２２、ＦＡＧ励起フィルター駆動部２３、ＦＡＧ濾過フィルター駆動部２４と接続されていて、入力部２２からの入力に従って、システム全体の制御を行う。撮影時には、観察用光源１および撮影用光源４および、跳ね上げミラー１１の跳ね上げ制御等を行い、加えてＦＡＧ撮影時には、ＦＡＧ励起フィルター駆動部２３、ＦＡＧ濾過フィルター駆動部２４の制御も行うようになっている。
【００２５】
図１に記載している眼底カメラに着脱可能なカメラボディー３０は、複数種類のものを取り付け可能としていて、形状が同じで光学的な焦点距離の同じマウントのものはすべて取り付け可能である。
【００２６】
本実施例における最も特徴的な構成は、画像記録部２５の記録可能画像枚数を検出する記録可能枚数検出部２１である。この記録可能枚数検出部２１は、カメラボディー３０内部の画像記録部２５の記録可能画像枚数を検出可能となっている。
【００２７】
図２は、本実施例における特徴的な部分の詳細構成を示している。図面の番号が同じものは図１で説明したものと同様であり、カメラボディー３０内部は、撮像素子１４、カメラ設定変更部２６と、タイプａの画像記録部２５ａで構成されている。タイプｂの画像記録部２５ｂは、タイプａの画像記録部２５ａよりも容量の小さいものとなっていて、カメラボディー３０には、タイプａおよびタイプｂのどちらの画像記録部２５であっても使用可能である。従って、カメラボディー３０での撮影可能枚数は、タイプａの画像記録部２５ａ＞タイプｂの画像記録部２５ｂとなる。通常、画像記録部２５としては、不揮発のメモリーカードが多く用いられていて、近年では小型のハードディクスタイプのものも提供されているが、本実施例においては、画像記録部２５の記録可能画像枚数の検出を行うため、デバイスの違いによる効果の違いはない。
【００２８】
また、カメラ設定変更部２６によって、タイプａおよびタイプｂの画像記録部２５のいずれの構成であっても、撮像素子１４に撮像された画像を保存する際の画像サイズや圧縮率が変更可能となっている。従って、カメラボディー３０での撮影可能枚数は、カメラ設定変更部２６によって設定された画像サイズや圧縮率によって変化する。
【００２９】
図３は、蛍光撮影の撮影スケジュールの様子を示した図である。図３の一番上に示した撮影スケジュールは、蛍光撮影時に一般的に撮影されるタイムスケジュールを自動化したもので、蛍光の初期である（１）〜（４）においては、１枚／１秒程度の撮影を行い、蛍光の中期である（５）〜（６）においては、１枚／５秒程度の撮影を行い、蛍光の後期である（７）〜（１０）においては、１枚／１０秒程度の撮影を行うようになっている。入力部２２上の蛍光タイマー開始スイッチにより蛍光タイマーがスタートすると、図示しているスケジュールに従った撮影が自動的に行われる。
【００３０】
次に、図３の中央に示した撮影スケジュールは、一番上の撮影スケジュールに従った撮影を行っている際、（４）から（５）の撮影の間にカメラ設定変更部２６によって、一番上の撮影スケジュール時に比べて、画像を圧縮する際の圧縮率を低く変更された場合である。この場合、カメラボディー３０での撮影可能枚数は少なくなる。ここで、カメラ設定変更部２６によって画像サイズを大きくする事や、タイプａの画像記録部２５ａからタイプｂの画像記録部２５ｂに変更された場合も同様に、カメラボディー３０での撮影可能枚数は少なくなることは言うまでもなく、圧縮率を低く変更された場合と同様である。
【００３１】
（４）の時点では、撮影時間内において、（１０）までの撮影を行うようにスケジュールされていたが、カメラ設定変更部２６によって、圧縮率を低く変更すると、記録可能枚数検出部２１は撮影可能枚数の判断を行う。設定変更により、一番上の撮影スケジュールは中央のスケジューリングに変更され、（７）までの撮影を行うようになる。これは、設定変更により一番上の撮影スケジュールのまま撮影を行うと、撮影時間内において蛍光の後期画像が取得できなくなってしまうためである。
【００３２】
さらに、図３の一番下に示した撮影スケジュールは、一番上の撮影スケジュールに従った撮影を行っている際、（４）から（５）の撮影の間にカメラ設定変更部２６によって、一番上の撮影スケジュール時に比べて、画像を圧縮する際の圧縮率を高く変更された場合である。この場合、カメラボディー３０での撮影可能枚数は多くなる。ここで、カメラ設定変更部２６によって画像サイズを小さくする事や、タイプｂの画像記録部２５ｂからタイプａの画像記録部２５ａに変更された場合も同様に、カメラボディー３０での撮影可能枚数は多くなることは言うまでもなく、圧縮率を高く変更された場合と同様である。
【００３３】
（４）の時点では、撮影時間内において、（１０）までの撮影を行うようにスケジュールされていたが、カメラ設定変更部２６によって、圧縮率を高く変更すると、記録可能枚数検出部２１は撮影可能枚数の判断を行う。設定変更により、一番上の撮影スケジュールは一番下のスケジューリングに変更され、（１２）までの撮影を行うようになる。このように変更することで、設定変更により一番上の撮影スケジュールのまま撮影を行うよりも、撮影時間内において蛍光の中期および後期画像がより多く取得できることになる。
【００３４】
ここで、本実施例として取り上げている撮影スケジュールは、説明を簡略化するために１０枚程度の撮影を行うように構成しているが、実際の撮影スケジュールは４０枚、５０枚程度の撮影が多い。しかしながら、本実施例における特徴は、撮影開始時の撮影スケジュールが、カメラ設定変更部２６の設定変更や画像記録部２５の交換によって、変更される事にあるので、蛍光撮影時の撮影枚数の違いによる差はない。
【００３５】
最後に、本実施例を用いた蛍光撮影の手順を、図４のフローチャート図を用いて説明する。
【００３６】
図４のステップ４０１は、カメラボディー３０が眼底カメラに取り付けられ、ステップ４０２では、カメラボディー３０に電源が供給される。本実施例においては、眼底カメラからカメラボディー３０に対して電源が供給されるようになっているが、電池で駆動されるようになっていても同様で、その場合ステップ４０２は省略されることになる。ステップ４０３では、シリアルの通信ケーブルを用いて、カメラボディー３０から情報が出力される。
【００３７】
ステップ４０４は、記録可能枚数検出部２１で実行され、ステップ４０３で出力されたカメラボディー３０からの情報を受け取る。本実施例では、通信ケーブルによってカメラボディー３０と記録可能枚数検出部２１が接続されているが、情報の伝達方法は、電波方式や赤外線方式など様々な方法が考えられる。ステップ４０５は、記録可能枚数検出部２１およびシステム制御部２０で実行され、ステップ４０４で入力されたカメラボディー３０の情報から、記録可能枚数検出部２１は、カメラボディー３０内部に構成されている画像記録部２５に記録可能な撮影枚数を取得し、システム制御部２０は蛍光撮影時の撮影スケジュールを決定する。
【００３８】
ステップ４０６は、入力部２２から蛍光タイマースタート操作が行われ、ステップ４０５で決定した撮影スケジュールに従った撮影を開始する。
【００３９】
ステップ４０７は、蛍光タイマー値と撮影スケジュールを比較し、撮影を行うタイマー値となっているかどうかの判断を行い、撮影を行うタイマー値となっていれば、ステップ４０８に進み撮影を行う。撮影を行うタイマー値となっていない場合は、ステップ４０９に進み撮影設定の変化があったかどうかの判断を行い、設定が変化していない場合は、再びステップ４０７へ戻る。ステップ４１１のように、カメラボディー３０において設定変更が行われると、ステップ４０９からステップ４１０に進み、撮影スケジュールの変更を行う。
【００４０】
このように、本実施例では、記録可能枚数検出部２１にて判別された記録可能枚数に応じて、撮影スケジュールが変更される。
【図面の簡単な説明】
【００４１】
【図１】本実施例を眼底カメラに応用した構成図である。
【図２】本実施例における特徴的な部分の詳細構成図である。
【図３】蛍光撮影の撮影スケジュールの様子を示した図である。
【図４】本実施例を用いた蛍光撮影のフローチャート図である。
【図１】
2005278747.tif 000003
【図２】
2005278747.tif 000004
【図３】
2005278747.tif 000005
【図４】
2005278747.tif 000006